(57)【要約】  本発明は一体型の糞便収集具を備えた伸長可能なリードに関する。本発明によれば、ケーシングの一方の側に使用前に予備の袋を固定しておくためのクリップが設けられている。本発明によるリードは取っ手を備えたケーシングを含むタイプのものである。前述のケーシングはリード収納ドラムを含み、リードは前記ケーシングの前方の孔を通して繰り出される。前記リードの自由端にはリードを犬の首輪に接続するためのスナップフックあるいは別の手段が設けられている。本発明は、ケーシングにスリーブを含む固定手段が設けられており、該スリーブの一方の側に前記スリーブの内部で前記チューブ状本体をロックするためのネジが設けられていることを特徴とする。前記チューブ状本体は、後退した後方休止位置と、伸長した前方使用位置であって、前記チューブ状本体が使用中ケーシングに対して回転しないよう阻止するため前記チューブ状本体の後端にある少なくとも１個の突起が前記スリーブにあるくぼみの中へ挿入される前方使用位置との間で前記ケーシングに対して長手方向に摺動することができる。前記ケーシングに対して前記のチューブ状本体を固定する上記の手段は前記チューブ状本体を一時的に取り外しするために開放可能であるクランプを支持する長手方向の溝を含む。前記の溝は動物のリードがとる角度に対して開放した角度での前記チューブ状本体の配置を画定する。更に、前記チューブ状本体は可撓性ワイヤあるいはその類似のものを含み、前記ワイヤの一端は前記チューブ状本体の前端にある端部材に設けられた孔を通して延在する。前記可撓性ワイヤの前端は前記端部材の外部の一点に固定され、そのため最後の入れ子式セグメントにねじによって結合可能であるカバーを使用してワイヤを絞ることによって輪なわを形成することができる。前記輪なわに裏返した袋が配置される。前記可撓性ワイヤの他端は前記チューブ状本体の反対側の端部から延在し、前記チューブ状本体内に収納された入れ子式セグメントの組立体の端に設けられている取っ手に接続されている。可撓性ワイヤは紙袋の開口を絞るために使用することができる。このように、前記可撓性ワイヤの自由端における取っ手は糞便がその中に集められるように糞便の周りで紙袋の口を閉鎖するために引っ張られる。
2009521916.tif 000002
【特許請求の範囲】
【請求項１】
一体型の糞便収集具を備えた伸長可能なリードであって、取っ手１１を備えたケーシング１を含み、前記ケーシングが収納ドラムを包含し、リード２が前記ケーシングの前方の孔を通して繰り出され、前記リードの自由端にはリードを犬の首輪に接続するためのスナップフック２１あるいは別の手段を備えているタイプの伸張可能なリードにおいて、前記ケーシング１には糞便収集具のチューブ状本体４の固定手段が設けられており、前記チューブ状本体４は可撓性ワイヤ５あるいは類似の手段を内部に収容しており、前記の可撓性ワイヤ５の一端５１が前記チューブ状本体４の前端部の端部材６の開口６１から出てきて、前記可撓性ワイヤ５のこの前端５１が前記端部材６の外側の点６２に固定されて前記ワイヤ５自体のテンションにより輪なわを形成し、この輪なわは裏返された袋３を有しており、そのため前記可撓性ワイヤ５の他端５２が前記チューブ状本体４の他端から出てきて入れ子式区画部分４２の端にある取っ手５３に接続されており、これらの入れ子式区画部分４２は前記チューブ状本体４の内側に収容されており、前記可撓性ワイヤ５は、該ワイヤ５の自由端５２にある取っ手５３を引っ張ると前記袋３が糞便７の回りで閉じられ、その内部で糞便を集めるように、前記袋３の周囲を絞るよう操作上適していることを特徴とする伸張可能なリード。
【請求項２】
使用前に予備の袋３を支持しておくため前記ケーシング１の側方においてクリップ１２を含むことを特徴とする請求項１に記載のリード。
【請求項３】
前記ケーシング１への前記チューブ状本体４の固定手段が前記ケーシング１の長手方向の溝１４を含み、その上に前記チューブ状本体４を一時的に分離させるために開放可能であるクランプ１３が設けられており、前記溝１４は動物のリード２が採る角度と比較して開放した角度をつけたチューブ状本体４の配置を画定することを特徴とする請求項１に記載のリード。
【請求項４】
前記の可撓性ワイヤ５の取っ手５３が最後の入れ子式区画部分４２にネジによって装嵌することができるキャップであることを特徴とする請求項１に記載のリード。
【請求項５】
前記固定手段は前記ケーシング１に対して前記チューブ状本体４を長手方向に移動するようにさせる取っ手を含み、引き込まれた休止の後方位置と、使用するために伸長した前方位置との間に位置され、この前方位置では、前記チューブ状本体４の後端における少なくとも１個の突起４１が前記取っ手１５の開口１６中へ装嵌されて、前記チューブ状本体の使用時に前記ケーシング１に対する回転を阻止することができることを特徴とする請求項１または３に記載のリード。
【請求項６】
前記摺動取っ手１５の内側において前記チューブ状本体４の一方の側にロックねじ１７を有する摺動取っ手１５が設けられていることを特徴とする請求項５に記載のリード。
【請求項７】
前記袋３が紙製であることを特徴とする請求項１に記載のリード。
【発明の詳細な説明】
【技術分野】
【０００１】
本発明は、一体型の糞便収集具（ｉｎｔｅｇｒａｔｅｄ  ｅｘｃｒｅｍｅｎｔ  ｃｏｌｌｅｃｔｏｒ）を備えた伸縮リードに関するものである。
【背景技術】
【０００２】
今日、犬の飼い主あるいは世話係り（ｃａｒｅｓ）の健康、衛生（ｈｅａｌｔｈｉｎｅｓｓ）および自覚（ａｗａｒｅｎｅｓｓ）に関する都市条例は、犬が飼い主と共に散歩に出る際にその動物が路上で排便して発生する糞便量が常に減少することを意図している。
【０００３】
前記の糞便の除去は種々の仕方で実行されているが、最も一般的には手で除去されている。
【０００４】
従って、飼い主は手を袋で覆い、それによって地面の糞便は手に直接触れることなく拾い上げられる。
【０００５】
その後飼い主は袋の中を裏返し、それによって糞便はその内部に留まり、次いでそれをゴミ箱あるいは類似のものに投げ捨てている。
【０００６】
しかしながら、この作業は、袋が一般的に極めて薄いプラスチックであり、糞便の感触や質感（ｔｅｘｔｕｒｅ）が気になりうるが、これは若干不快なものであるため、多くの飼い主にとってある程度の気色の悪さをもたらす。
【０００７】
発生した排泄物は、それが、有機要素である、すなわち糞便を非生分解性要素、すなわちプラスチックの袋と結合するという問題を有しており、そのため前記排泄物を大規模に処理することが困難である。
【０００８】
紙を使用することもできるが、その材料は破れ易い性質の故に使用者には受け容れられない。
【０００９】
糞便に触れることなく、また紙あるいはプラスチックのシートですらなく糞便を拾い上げることができるようにする、その他の別の装置も知られている。これらの装置は一般に中に袋が裏打ちされている２個の接続された皿（ｐａｎｓ）を一端において有する棒（ｓｔｉｃｋ）からつくられている。
【００１０】
その棒の他端には、その内部に糞便を入れておいて、それを処分できるように二個の皿を閉鎖作動させるレバーを備えた取っ手が存在している。
【００１１】
これらの装置はかなり大きいものであり、犬が散歩に出るとき飼い主がそれを持ち出すのは億劫になるようなものである。
【００１２】
更に、一般にプラスチック材料でつくられている前記の皿は壊れ易く、棒が支えとして使用された場合簡単に破損したり、変形したりする可能性がある。
【発明の開示】
【発明が解決しようとする課題】
【００１３】
本発明による一体型の糞便収集具を備えた伸縮リードは、正面の開口を通してリードを巻き取りおよび繰り出すドラムを内側に有する取っ手からつくられ、犬の糞便をきれいに、かつ手軽に集めその後単一の物品として処理するための手段を備えた、可撓性で伸縮性の犬のリードを可能とする一連の技術的特性を有している。
【課題を解決するための手段】
【００１４】
実際に、ケーシングは、好ましくは上方部分において、チューブ状本体からなる糞便収集具を固定するための手段を有している。
【００１５】
このチューブ状本体は可撓性の細い線（ｆｌｅｘｉｂｌｅ  ｔｈｒｅａｄ）、あるいは類似のものを内部で長手方向に収納している。
【００１６】
この可撓性の細い線は一端がチューブ状本体の前端から出ている。
【００１７】
前記の可撓性の細い線のこの前端は、該可撓性の細い線から発生する弾性テンションによって平たくされた輪なわ（ｌａｓｓｏ）を形成するために端部材の外側の側方の点に固定される。
【００１８】
一方、前記の可撓性ワイヤ（ｆｌｅｘｉｂｌｅ  ｗｉｒｅ）の他端は前記チューブ状本体の反対側の端部から出て、ある入れ子式セグメントの端部に存在する取っ手に接続されている。
【００１９】
これらの入れ子式セグメントは後部においてチューブ状ハウジングの内部に収容されている。
【００２０】
可撓性ワイヤの前記の後部分にある取っ手を引っ張ることによって前方にある輪なわに装着された袋を締め付けることができる。    
【００２１】
このように、もしも袋が地面の糞便を覆って置かれるとすれば、該袋は糞便をその内部に拾い集める。
【００２２】
その後、使用者は袋から糞便を簡単に除去することができる。入れ子式セグメントによって、前記可撓性ワイヤがチューブ状本体を通して前進し、輪なわが大きくされると、可撓性ワイヤの収集性を向上させ、ワイヤの案内を可能とする。
【００２３】
ケーシングには一方の側にクリップが設けられている。このクリップは数枚の交換用袋を簡単に取り出せるようにその使用前に保持しておくことができる。
【００２４】
チューブ状本体をケーシングに固定する手段は変更することも可能である。
【００２５】
例えば、前記手段は、リードとは独立して収集具を使用できるようにするために一時的に取り外すことができるようにするヒンジあるいは類似の手段によって開放可能であるクランプを支持する長手方向の溝から構成することができる。
【００２６】
前記の溝は動物のリードがとる角度と比較すると開放した角度（ｏｐｅｎ  ａｎｇｌｅ）でチューブ状本体の配置を画定する。
【００２７】
輪なわを締めるための引っ張り手段として使用される可撓性ワイヤの自由端における取っ手は、可撓性ワイヤの前記端部を捕捉する適当な細い線（ｓｕｉｔａｂｌｅ  ｔｈｒｅａｄ）によってチューブ状本体の最終の入れ子式セグメントに装着しうる停止部によってつくることができる。
【００２８】
この取っ手は可撓性ワイヤあるいはフィラメントの全てを前記チューブ状本体および入れ子式セグメントの内側に置いておくのでより良好な仕上げを可能とする。更に、そのことは可撓性ワイヤが破損あるいは劣化した場合に交換が容易であることを意味する。
【００２９】
好適実施例において、固定機構はまた、チューブ状本体の近傍においてスリーブを有することが可能で、この取っ手はクランプによって保持される。
【００３０】
前記取っ手は前記チューブ状本体を長手方向に摺動できるようにし、このようにして、チューブ状本体はケーシングの後方部分に向かう引き込んだ休止位置と、使用時の伸長位置との間に位置することができる。
【００３１】
前記の使用時の伸長位置において、前記チューブ状本体はケーシングの前方部分に向かって移動し、この位置が安定したものであるように、前記チューブ状本体はリードで、取っ手の開口に装嵌し前記チューブ状本体が回転するのを阻止する突出部を後端において有している。
【００３２】
このように、拾い上げるべき糞便の上に袋の開口を裏返しにしておいて平坦な輪なわを地面に当てることが容易になる。
【００３３】
摺動する取っ手は該取っ手の内側において前記チューブ状本体の一方の側にロックネジを有している。
【００３４】
このように、チューブ状本体の位置を固定し、使用中糞便を拾い上げている間該チューブ状本体が後方へ動かないようにすることができる。
【００３５】
袋はリサイクル可能な紙からつくられることが好ましく、このように糞便と袋とは有機廃物として共に捨てることが可能である。
【００３６】
以下の説明を完結させ、かつ本発明の特徴をよりよく理解できるようにするために、例示のためであり、本発明を限定するものでない一組の図面を本説明に対して添付している。
【００３７】
添付図面から判るように、本発明は、使い捨て袋３内に糞便を集める実装された収集具を含み、伸長リードを備えたケーシング１から構成される。ケーシング１は、スナップリング２１あるいは類似の装具によって動物の首輪に接続可能である犬のリード２を収容する内部ドラム（図示せず）のためのリードを収納、繰り出しおよびロックする手段を備えた後方取っ手１１を有している。前記ケーシング１は使用前に交換用袋３を保持するクランプ１２を一方の側において有している。
【００３８】
ケーシング１はその上方部分において、糞便収集具のチューブ状本体４を接続する手段を有している。これらの手段は長手方向の溝１４と開放可能であるクランプ１３とを含み、前記クランプは前記溝１４の一方の側においてヒンジによって、他方の側においてネジあるいは類似の装置によって固定される。このクランプ１３はまた、伸長可能なリード２のケーシング１から収集具を一時的に取り外しできるようにする。前記の溝１４はリード２の望ましくない干渉や巻きつきを阻止するためにその軸線が前記リード２の出口に対して開放した角度に設定されている。
【００３９】
チューブ状本体４はその内側に可撓性の細い線５あるいはその類似物を長手方向に収容している。
【００４０】
前記チューブ状本体４の前端には、前記の可撓性ワイヤ５の前端部５１のための偏心した出口開口６１を備えた端部材６が存在している。前記端部５１は前記端部材６の外側の点６２に結合され、チューブ状本体４の前方部分においてかなり平坦で、かつ水平である輪なわをつくっている。この輪なわはワイヤ自体５あるいはフィラメントのテンションによって概ね円形あるいは楕円形に曲げられた状態に保たれている。前記可撓性のワイヤ５の他端５２は、前記チューブ状本体４の入れ子式セグメント４２によって該チューブ状本体４の後方開口を出て、取っ手５３に端部において起動のために保持されている。前記取っ手５３に対して、そしてその結果コード５の端部５２に対して加えられる引張り力によって可撓性ワイヤ５の前方輪なわを絞り込む。
【００４１】
前方の輪なわには、裏返しにし、前記輪なわの上に向けられた袋３が装嵌されており、そのため前記袋を地面の糞便７の上に簡単に位置させ、前記の可撓性ワイヤ５を前述のように絞り込むことによって糞便を拾い上げることができる。
【００４２】
前記の可撓性ワイヤ５の自由端５２の固定用取っ手５３はチューブ状本体４の最後の入れ子式区画部分４２にネジあるいは類似の部材を用いて装嵌するキャップあるいはノブで仕上げられている。
【００４３】
好適実施例において、固定機構はクランプ１３によって捕捉されたチューブ１５からなり、前記チューブ状本体４は長手方向に摺動するように前記チューブ１５に納められている。
【００４４】
このチューブ１５はその上方部分において開口１６を有しており、前記チューブ状本体４は前記開口１６中へ装嵌する突起４１をその後端において有している。
【００４５】
前記突起４１と前記チューブ１５の開口１６とが装嵌することによって前記チューブ状本体４を使用するために前記ケーシング１の前方に確実に位置させ、輪なわの望ましくない回転の可能性を阻止する。
【００４６】
前記チューブ状本体４は前方にあるリード２の障害とならないように休止時は後方へ移動可能である。
【００４７】
摺動取っ手１５には該取っ手１５の内側において前記チューブ状本体４の一方の側にロックネジ１７が設けられている。
【００４８】
好適実施例において、袋３は有機材料として使い捨てするようにリサイクル紙からつくられている。
【００４９】
本発明の特性を十分説明し、同様に好適実施例を提供してきたので、説明してきた要素の材質、形状、寸法および配置について、特許請求の範囲に請求されている本発明の基本を変更することなく修正しうることを銘記すべきである。
【図面の簡単な説明】
【００５０】
【図１】公道において犬の糞便を収集するために使用される本発明による新規な装置の図を示す。
【図２】クリップとチューブ状本体の固定用溝を示すケーシングの斜視図を示す。
【図３】前方の輪なわをつくる可撓性ワイヤあるいは細い線のない状態でのチューブ状本体の端部材の詳細図を示す。
【図４】内側に可撓性ワイヤが配置されているのを見ることができるチューブ状本体と入れ子式区画部分の長手方向図面を示す。
【図５】摺動し、かつ取り付け可能であるチューブ状本体であって、それによって突起部がケーシングの取っ手の中へ装嵌されるチューブ状本体を有するリードの平面図を示す。
【図１】
2009521916.tif 000003
【図２】
2009521916.tif 000004
【図３】
2009521916.tif 000005
【図４】
2009521916.tif 000006
【図５】
2009521916.tif 000007
【国際調査報告】
2009521916.tif 000008
2009521916.tif 000009
2009521916.tif 000010
2009521916.tif 000011
2009521916.tif 000012
2009521916.tif 000013